(57)【要約】      （修正有）【課題】機器との接続が整理でき、しかもプライバシーの保護ができる等統一したマネジメントが可能な画像を蓄積可能なホームサーバの構築が可能である。【解決手段】少なくとも１つの画像機器と通信を行う画像を蓄積可能なホームサーバ２において、画像機器との画像通信の権利を設定する権利設定手段を有する。上記内容により、画像機器との接続が整理でき、しかもプライバシーの保護ができる等統一したマネージメントが可能である。【選択図】図１
2004320155.tif 000002
【特許請求の範囲】
【請求項１】
少なくとも１つの画像機器と通信を行う画像を蓄積可能なホームサーバにおいて、
前記画像機器との画像通信の権利を設定する権利設定手段を有することを特徴とするホームサーバ。
【請求項２】
前記権利は、画像通信で転送する画像と転送しない画像の区別をする権限であることを特徴とする請求項１に記載のホームサーバ。
【請求項３】
前記権利は、外部ネットワークにアクセスする権限であることを特徴とする請求項２に記載のホームサーバ。
【請求項４】
前記権利は、サーバから配信されたデータを演奏する権限であることを特徴とする請求項２に記載のホームサーバ。
【請求項５】
前記権利は、通信のスケジュールを設定する権限であることを特徴とする請求項２に記載のホームサーバ。
【請求項６】
前記権利の設定をＷｅｂブラウザで可能としたことを特徴とする請求項１乃至請求項５のいずれか１項に記載のホームサーバ。
【請求項７】
前記権利は、ゲスト機器の設定を可能としたことを特徴とする請求項１乃至請求項５に記載のホームサーバ。
【請求項８】
前記権利は、ゲスト機器のアクセスの時間制限の設定を可能としたことを特徴とする請求項１乃至請求項５のいずれか１項に記載のホームサーバ。
【請求項９】
転送された画像を、転送日で分類し、次に個人別に分類して整理することを特徴とする請求項１乃至請求項８のいずれか１項に記載のホームサーバ。
【請求項１０】
転送された画像を、個人別に分類し、次に転送日で分類して整理することを特徴とする請求項１乃至請求項８のいずれか１項に記載のホームサーバ。
【請求項１１】
転送された画像を、画像機器別に分類し、次に転送日で分類して整理することを特徴とする請求項１乃至請求項８のいずれか１項に記載のホームサーバ。
【請求項１２】
前記画像機器が家庭内の機器であり、この機器がホームネットワークを介して接続されると共に、外部ネットワークを介して接続されるプリント注文を受け付けるプリント受発注サイトに対して通信可能であることを特徴とする請求項１乃至請求項１１に記載のホームサーバ。
【請求項１３】
前記プリント受発注サイトへのアップロードスケジュールを設定することを特徴とする請求項１２に記載のホームサーバ。
【請求項１４】
前記プリント受発注サイトへのアップロードする画像の選別をすることを特徴とする請求項１２に記載のホームサーバ。
【請求項１５】
前記プリント受発注サイトからの情報又はソフトウェアを受け付ける権限を設定できることを特徴とする請求項１２に記載のホームサーバ。
【請求項１６】
前記プリント注文の権限を設定できることを特徴とする請求項１２に記載のホームサーバ。
【請求項１７】
前記プリント注文の画像選択の権限を設定できることを特徴とする請求項１２に記載のホームサーバ。
【請求項１８】
前記プリント注文の商品種別選択の権限を設定できることを特徴とする請求項１２に記載のホームサーバ。
【請求項１９】
前記プリント注文の商品の受取方法選択の権限を設定できることを特徴とする請求項１２に記載のホームサーバ。
【請求項２０】
前記プリント注文の商品の決済方法の選択の権限を設定できることを特徴とする請求項１２に記載のホームサーバ。
【請求項２１】
前記各家庭デバイスへの外部ネットワークからの情報またはソフトウェアの配布の権限を設定できることを特徴とする請求項１２乃至請求項１５に記載のホームサーバ。
【発明の詳細な説明】
【０００１】
【発明の属する技術分野】
この発明は、少なくとも１つの画像機器と通信を行う画像を蓄積可能なホームサーバに関する。
【０００２】
【従来の技術】
このように画像機器と通信を行う画像を蓄積可能なホームサーバがあり、このホームサーバは、家庭内の各製品（家電製品、パソコン、周辺機器、アプリケーションソフトなど）が接続される（例えば、特許文献１）。
【０００３】
【特許文献１】
特開２００２−３５８４０９号公報（第１〜第６頁、図１〜図４）
【０００４】
【発明が解決しようとする課題】
今後、ますます家庭内に多数の画像入力機器、画像表示機器が導入され、これらの機器から動画、静止画をホームサーバに保存し、例えば各部屋、各住民に配信する装置が普及され始めている。
【０００５】
しかし、こうした機器を統一してマネジメントする方法、あるいは機器は提案されていないため、機器が混在して使い勝手が悪かったり、プライバシーが守れない等の問題がある。
【０００６】
この発明は、かかる実情に鑑みてなされたもので、機器との接続が整理でき、しかもプライバシーの保護ができる等統一したマネジメントが可能なホームサーバを提供することを目的としている。
【０００７】
【課題を解決するための手段】
前記課題を解決し、かつ目的を達成するために、この発明は、以下のように構成した。
【０００８】
請求項１に記載の発明は、少なくとも１つの画像機器と通信を行う画像を蓄積可能なホームサーバにおいて、
前記画像機器との画像通信の権利を設定する権利設定手段を有することを特徴とするホームサーバである。
【０００９】
この請求項１に記載の発明によれば、画像機器との画像通信の権利を設定することで、画像機器との接続が整理でき、しかもプライバシーの保護ができる等統一したマネジメントが可能である。
【００１０】
請求項２に記載の発明は、前記権利は、画像通信で転送する画像と転送しない画像の区別をする権限であることを特徴とする請求項１に記載のホームサーバである。
【００１１】
この請求項２に記載の発明によれば、権利が画像通信で転送する画像と転送しない画像の区別をすることであり、画像のコピ−、移動、配信を整理でき、しかもプライバシーの保護ができる等統一したマネジメントが可能である。
【００１２】
請求項３に記載の発明は、前記権利は、外部ネットワークにアクセスする権限であることを特徴とする請求項２に記載のホームサーバである。
【００１３】
この請求項３に記載の発明によれば、機器が外部ネットワークにアクセスすることを制限できるため、有害なソフトウェアのダウンロ−ドやプライバシーを侵すデータのアップロードを防ぐことができる。
【００１４】
請求項４に記載の発明は、前記権利は、サーバから配信されたデータを演奏する権限であることを特徴とする請求項２に記載のホームサーバである。
【００１５】
この請求項４に記載の発明によれば、家庭内の各部屋においてのデータの配信、演奏の条件の設定ができる。
【００１６】
請求項５に記載の発明は、前記権利は、通信のスケジュールを設定する権限であることを特徴とする請求項２に記載のホームサーバである。
【００１７】
この請求項５に記載の発明によれば、権利が通信のスケジュールを設定する権限であり、通信を監視しやすくなり、通信の分散によりサーバの負荷を軽くできる。
【００１８】
請求項６に記載の発明は、前記権利の設定をＷｅｂブラウザで可能としたことを特徴とする請求項１乃至請求項５に記載のホームサーバである。
【００１９】
この請求項６に記載の発明によれば、権利の設定をＷｅｂブラウザで可能であり、外部から権利の設定が可能である。また、機種に依存せず操作できる。
【００２０】
請求項７に記載の発明は、前記権利は、ゲスト機器の設定を可能としたことを特徴とする請求項１乃至請求項５に記載のホームサーバである。
【００２１】
この請求項７に記載の発明によれば、権利がゲスト機器の設定を可能とすることで、ゲスト機器との接続を安全に行える。
【００２２】
請求項８に記載の発明は、前記権利は、ゲスト機器のアクセスの時間制限の設定を可能としたことを特徴とする請求項１乃至請求項５に記載のホームサーバである。
【００２３】
この請求項８に記載の発明によれば、ゲスト機器のアクセスに時間制限を設定することで、ホームサーバを安全に運用できる。
【００２４】
請求項９に記載の発明は、転送された画像を、転送日で分類し、次に個人別に分類して整理することを特徴とする請求項１乃至請求項８のいずれか１項に記載のホームサーバである。
【００２５】
この請求項９に記載の発明によれば、転送された画像を、転送日で分類し、まず転送日で分類するため、あとで探しやすい。
【００２６】
請求項１０に記載の発明は、転送された画像を、個人別に分類し、次に転送日で分類して整理することを特徴とする請求項１乃至請求項８のいずれか１項に記載のホームサーバである。
【００２７】
この請求項１０に記載の発明によれば、転送された画像を、個人別に分類し、個人別なので、セキュリティやプライバシーの管理がしやすい。
【００２８】
請求項１１に記載の発明は、転送された画像を、画像機器別に分類し、次に転送日で分類して整理することを特徴とする請求項１乃至請求項８のいずれか１項に記載のホームサーバである。
【００２９】
この請求項１１に記載の発明によれば、転送された画像を、画像機器別に分類し、機器別なので、ゲスト機器を扱うときなどにファイルが探しやすく便利である。
【００３０】
請求項１２に記載の発明は、前記画像機器が家庭内の機器であり、この機器がホームネットワークを介して接続されると共に、外部ネットワークを介して接続されるプリント注文を受け付けるプリント受発注サイトに対して通信可能であることを特徴とする請求項１乃至請求項１１に記載のホームサーバである。
【００３１】
この請求項１２に記載の発明によれば、プリント受発注サイトとの画像通信の権利を設定することで、プリント受発注サイトとの接続が整理でき、不要な注文による課金を防ぐことができる。しかもプライバシーの保護ができる等統一したマネジメントが可能である。
【００３２】
請求項１３に記載の発明は、前記プリント受発注サイトへのアップロードスケジュールを設定することを特徴とする請求項１２に記載のホームサーバである。
【００３３】
この請求項１３に記載の発明によれば、プリント受発注サイトへのアップロードスケジュールを設定することで、サーバの負荷を減らすことができる。
【００３４】
請求項１４に記載の発明は、前記プリント受発注サイトへのアップロードする画像の選別をすることを特徴とする請求項１２に記載のホームサーバである。
【００３５】
この請求項１４に記載の発明によれば、プリント受発注サイトへのアップロードする画像の選別をすることで、画像のコピ−、移動、配信を整理でき、不要な注文による課金を防ぐことができる。しかもプライバシーの保護ができる等統一したマネジメントが可能である。
【００３６】
請求項１５に記載の発明は、前記プリント受発注サイトからの情報又はソフトウェアを受け付ける権限を設定できることを特徴とする請求項１２に記載のホームサーバである。
【００３７】
この請求項１５に記載の発明によれば、プリント受発注サイトの情報またはソフトウェアを受け付けることで、新しいキャンペーンやセールの情報が得られる。また、実施できる新機能をもつソフトのダウンロードを行なうことができる。
【００３８】
請求項１６に記載の発明は、前記プリント注文の権限を設定できることを特徴とする請求項１２に記載のホームサーバである。
【００３９】
この請求項１６に記載の発明によれば、注文できる人、出来ない人を設定して、不要な注文や、ゲストのいたずらの注文を防ぐことができる。
【００４０】
請求項１７に記載の発明は、前記プリント注文の画像選択の権限を設定できることを特徴とする請求項１２に記載のホームサーバである。
【００４１】
この請求項１７に記載の発明によれば、画像を選べる権限を限定することで、プリントされたくない画像の不用意な注文を防ぐことができる。
【００４２】
請求項１８に記載の発明は、前記プリント注文の商品種別選択の権限を設定できることを特徴とする請求項１２に記載のホームサーバである。
【００４３】
この請求項１８に記載の発明によれば、商品の受け取り方法を選ぶ権限を設定することで、不用意に高額な商品を注文することを防ぐことができる。
【００４４】
請求項１９に記載の発明は、前記プリント注文の商品の受取方法選択の権限を設定できることを特徴とする請求項１２に記載のホームサーバである。
【００４５】
この請求項１９に記載の発明によれば、商品の受け取り方法を選ぶ権限を設定することで、不用意に自宅以外の所に商品を送られるなどのいたずらを防ぐことができる。
【００４６】
請求項２０に記載の発明は、前記プリント注文の商品の決済方法の選択の権限を設定できることを特徴とする請求項１２に記載のホームサーバである。
【００４７】
この請求項２０に記載の発明によれば、商品の決済方法を選ぶ権限を設定することで、クレジットカードを悪用した不正な注文や、ゲストのいたずらの注文を防ぐことができる。
【００４８】
請求項２１に記載の発明は、前記各家庭デバイスへの外部ネットワークからの情報またはソフトウェアの配布の権限を設定できることを特徴とする請求項１２乃至請求項１５に記載のホームサーバである。
【００４９】
この請求項２１に記載の発明によれば、各家庭デバイスへの外部ネットワークからの情報またはソフトウェアの配布の権限を設定できることで、各家庭デバイスに必要な情報の配布や、機能のアップグレードをすることができる。
【００５０】
【発明の実施の形態】
以下、この発明のホームサーバの実施の形態を、図面に基づいて詳細に説明するが、この発明は、この実施の形態に限定されない。
【００５１】
図１はホームサーバを利用したシステム構成を説明する図である。この実施の形態のホームサーバを利用したシステム１は、ホームサーバ２と、プリント受発注サイト３ａ、ネットワークストレージ３ｂと、プリント外注サイト４とを有する。ホームサーバ２を１つでもよく、あるいはホームサーバＡ，Ｂ，Ｃ・・・と複数備えていてもよい。
【００５２】
ホームサーバ２は、家庭内の機器が情報系ネットワーク２０、ＡＶ系ネットワーク２１等のホームネットワークを介して接続されると共に、外部ネットワークを介して接続されるプリント注文を受け付けるプリント受発注サイト３ａ、またはネットワークストレージ３ｂに対して通信を行なう。
【００５３】
情報系ネットワーク２０には、パソコン２０ａ、プリンタ２０ｂ、スキャナ２０ｃ、電話２０ｄ及びファクシミリ２０ｅ等で構成される。また、ＡＶ系ネットワーク２１は、テレビジョン２１ａ、ビデオデッキ２１ｂ、オーディオデッキ２１ｃ等で構成される。これらの情報系ネットワーク２０、ＡＶ系ネットワーク２１等は、ホームゲートウェイ２３を介してホームサーバ２に接続されている。
【００５４】
プリント受発注サイト３ａでは、外部ネットワークを介して接続されるプリント注文を受け付け、このプリント注文をプリント外注サイト４に発注する。プリント外注サイト４では、プリント受発注サイト３ａから注文情報データを受け取り、プリントを作成し、プリント製品をユーザに配達する。また、プリント受発注サイト３ａでは、外部ネットワークを介して接続されるプリント注文を受け付け、このプリント注文をプリント外注サイト４に発注しないで、プリント受発注サイト３ａで注文情報データによりプリントを作成し、プリント製品をユーザに配達するようにしてもよい。
【００５５】
ネットワークストレージ３ｂでは、ホームサーバ２から送信される画像を蓄積し、あるいは種々のサーバから送信される画像を蓄積し、またホームサーバ２、あるいは種々のサーバへ送信することができる。
【００５６】
このホームサーバ２は、画像機器との画像通信の権利を設定する権利設定手段を有し、図２に示す画像機器の画像転送契約のコンフィグレーション画面３０によって実行される。
【００５７】
このコンフィグレーション画面３０では、ＡＶ系ネットワーク２１に接続される画像機器として、例えば父のＰＤＡ、父のデジタルカメラ、父の携帯電話、父のデスクトップパソコン、母の携帯電話、息子のノートパソコン、娘の携帯電話、居間の大型テレビ、台所のテレビ、息子のテレビ、娘のテレビ、来客者のデバイス等のデバイスがある。
【００５８】
これらのデバイスの入力部としては、例えばカメラやメモリーカードスロット等が備えられ、出力部としては、例えば液晶等の表示部が備えられる。
【００５９】
ＡＶ系ネットワーク２１に接続される画像機器からのホームサーバへの画像の転送は、例えば、父のデジタルカメラからは、図３に示すように、一例として指定フォルダｗｗｗｗｗの中の画像ｅｆｇｈ０００１．ｊｐｇ、ｅｆｇｈ０００２．ｊｐｇ、ｅｆｇｈ０００３．ｊｐｇを担当ホームサーバへ転送する。また、息子のノートパソコンでは、図４に示すように、一例として指定フォルダｙｙｙｙｙの中の画像ｅｆｇｈ０００１．ｊｐｇ、ｅｆｇｈ０００２．ｊｐｇ、ｅｆｇｈ０００３．ｊｐｇを担当ホームサーバへ転送する。
【００６０】
また、図５に示すように、息子のテレビ５０は、ホームサーバＡからの配信を受け入れることにより、以下のような画像表示５０ａ、音声出力５０ｂを行う。例えば、目覚ましのメッセージ、家族行事、日程表の配信、写真や音声の配信等である。
【００６１】
また、複数のサーバを備える場合には、担当ホームサーバをホームサーバＡとして、他のホームサーバＢ，Ｃ・・・へ転送、または他のホームサーバＢ，Ｃ・・・からの転送を受けることができる。この他のホームサーバＢ，Ｃ・・・へ転送、または他のホームサーバＢ，Ｃ・・・からの転送を受ける場合、それぞれのデバイスに応じて、全て、指定フォルダｗｗｗｗｗのみ等が指定され、権限設定が可能な者が例えば、管理者、ユーザ１、ユーザ２、ユーザ３、全員等の設定が行なわれ、転送のスケジュール設定も行なわれる。
【００６２】
また、担当ホームサーバＡは、プリント受発注サイト３ａへの転送、あるいはネットワークストレージ３ｂへの転送を行なうようにしており、デバイスに応じて、全て等指定される。
【００６３】
また、権限設定が可能な者が例えば、管理者、ユーザ１、ユーザ２、ユーザ３、全員等の設定が行なわれ、転送のスケジュール設定も行なわれる。プリント受発注サイト３ａへの転送の場合、例えば父の携帯電話からプリント注文決済を行なうように設定できる。
【００６４】
このホームサーバ２としてのホームサーバＡ，Ｂ，Ｃ・・・は、各機器であるデバイスとの交信で情報を得ることができ、設定は例えば各機器からホームサーバ２のホームページを開くことで行なう。図２は、そのホームページの表示及び設定画面であり、全ての機器でこの設定画面を開く必用は無く、メール送信等で設定を行なうこともでき、または設定専用に外部のサイトを利用しても良い。
【００６５】
このように、コンフィグレーション画面３０でクリックして所定情報を入力することで、デバイスである画像機器との画像通信の権利を設定することができ、この設定で画像機器との接続が整理でき、しかもプライバシーの保護ができる等統一したマネジメントが可能である。
【００６６】
また、画像機器との画像通信の権利を設定では、所定のデバイスでは指定フォルダｗｗｗｗｗのみ等とすることで、画像通信で転送する画像と転送しない画像の区別をすることができ、画像のコピ−、移動、配信を整理でき、しかもプライバシーの保護ができる等統一したマネジメントが可能である。
【００６７】
アクセスする権限を設定することができ、外部のプリント機能、保存機能、メディア変換機能等と連携することを整理できる。また、外部ネットワークのウィルスから防御できる。
【００６８】
また、権利を設定で、表示部への表示を指定フォルダｗｗｗｗｗのみ等と指定することができ、この指定でプライバシーの保護ができる。
【００６９】
また、転送のスケジュール設定で、通信のスケジュールを例えば、通信が少ない日にち、あるいは時間等に設定することができ、このスケジュール設定で通信を分散することができる。
【００７０】
また、ゲスト機器の設定を可能とし、図１に示すように、個人、個室の機器、様々な機器１０とのデータ転送ができるようにして、ゲスト機器との接続が整理できる。
【００７１】
このゲスト機器の接続を、図６及び図７に示す。図６はゲスト機器の検索画面、図７はゲスト機器の受入れ画面である。
【００７２】
図６のゲスト機器の検索画面６０は、検索結果ボタン６０ａ、タイプ指定ボタン６０ｂ、検索結果表示部６０ｃを有している。検索結果ボタン６０ａのクリックでゲスト機器の検索が行なわれ、機種名、タイプ、アドレス、通信速度が表示される。タイプ指定ボタン６０ｂのクリックによりパソコン、ＡＶ、家電などタイプを指定したほうが検索が早い。ゲスト機器のＡＶでは、アドレスは例えばＩＰｖ６が望ましい。
【００７３】
探したゲスト機器をクリックすると、図７のゲスト機器の受入れ画面７０に切り換わる。このゲスト機器の受入れ画面７０は、ゲスト機器のＩＤ入力ボタン７０ａ、ゲスト機器からの情報受入のフォルダ指定ボタン７０ｂ、ゲスト機器への情報送出のフォルダ指定ボタン７０ｃ、有効期限の時間指定ボタン７０ｄ、権限選択の権限選択ボタン７０ｅを有する。
【００７４】
ゲスト機器のＩＤ入力ボタン７０ａから例えばお客の持ってきたカメラなど、あるいはＩＰｖ６または任意の識別のための名称が入力される。フォルダ指定ボタン７０ｂまたはフォルダ指定ボタン７０ｃにより特定のフォルダから画像を取り入れ、または送出しが指定される。有効期限の時間指定ボタン７０ｄにより例えば２時間、１日などと設定し、ゲスト機器なので時間を限定してセキュリティを確保する。また、権限選択の権限選択ボタン７０ｅにより外部ネットワークへのアクセスの制限を設定する。
【００７５】
また、ゲスト機器の受入れ画面７０は、戻るボタン７０ｆと設定完了ボタン７０ｇを有し、戻るボタン７０ｆのクリックでゲスト機器の検索画面６０に切り換わり、設定完了ボタン７０ｇによりゲスト機器の受入れが設定される。
【００７６】
また、画像機器との画像通信の権利の設定はＷｅｂブラウザで可能であり、外部から権利の設定が可能である。また、機種に依存しないで設定ができる。
【００７７】
図８は権利設定の画面である。この実施の形態の権利設定の画面８０では、家庭内の機器を設定する。機器表示部８０ａに設定されている現在の機器が表示され、それぞれの機種についての機種名８０ａ１、タイプ８０ａ２、アドレス８０ａ３、通信速度８０ａ４、情報受入フォルダ８０ａ５、情報送出フォルダ  ８０ａ６、アクセス権限設定８０ａ７、詳細仕様８０ａ８、スケジュール設定８０ａ９が表示される。
【００７８】
例えばＡＡ機種の詳細仕様８０ａ８をクリックすると、ＡＡの機種のスペック詳細が表示され、このスペック詳細から所定のスペックを設定することができる。また、例えばＡＡ機種のスケジュール設定８０ａ９をクリックすると、スケジュールの詳細設定が表示され、このスケジュールの詳細設定画面で転送のスケジュール設定が可能である。
【００７９】
また、権利設定の画面８０は新規検索ボタン８０ｂを有し、この新規検索ボタン８０ｂは機器表示部８０ａ以外の機器を探す場合に用いる。この新規検索ボタン８０ｂをクリックによって機器表示部８０ａ以外の機器を表示し、例えば家庭で用いる機器を捜して設定する。
【００８０】
また、ホームサーバ２は、外部ネットワークを介して接続されるプリント注文を受け付けるプリント受発注サイト３ａに対して通信可能である。このプリント受発注サイト３ａとの画像通信の権利を設定することで、プリント受発注サイト３ａとのデバイス接続が整理でき、通信の監視もしやすくなり、しかもプライバシーの保護ができる等統一したマネジメントが可能である。
【００８１】
ホームサーバ２は、プリント受発注サイト３ａへのアップロードスケジュールを設定することで、例えばプリント注文を受け付けるプリント受発注サイト３ａは火曜日の早朝〜各家庭によりずらして、ネットワーク負荷を分散することができる。
【００８２】
また、プリント受発注サイト３ａへのアップロードする画像の選別をすることで、画像のコピ−、移動、配信を整理でき、しかもプライバシーの保護ができる等統一したマネジメントが可能である。
【００８３】
また、ホームサーバ２では、プリント受発注サイト３ａの情報又は機能を受け付けることで、実施できる新機能をもつソフトのダウンロードを行なうことができ、ユーザは新機能のプリント注文のサービスを利用することができる。
【００８４】
また、プリント注文の権限、決済方法を指定する権限であり、例えば父の携帯電話からの指定された決済とすることで、プリント注文が無制限に行なわれることがなく、経済的である。
【００８５】
各家庭デバイスへの情報を配布する権限を設定できる。例えば、図５に示すように、家族への連絡事項やデバイスでの目覚まし音、あるいは目覚まし画像等の情報を配布し、各家庭に応じてデバイスに必要な情報を配布することができる。また、設定によりそれらを拒否することもできる。
【００８６】
次に、ホームサーバの画像整理の構成を、図９乃至図１１に示す。図９の構成は、転送された画像を、転送日順にして転送日で分類し、次に個人別に分類して整理する。この実施の形態では、まず、転送日で分類するため、あとで探しやすい。
【００８７】
図１０の構成は、転送された画像を、個人別に分類し、次に転送日で分類して整理する。この実施の形態では、個人別なので、セキュリティやプライバシーの管理がしやすい。
【００８８】
図１１の構成は、転送された画像を、画像機器別に分類し、次に転送日で分類して整理する。この実施の形態では、機器別なので、ゲスト機器を扱うときなどにファイルが探しやすく便利である。
【００８９】
次に、プリント注文権利設定画面を図１２に示す。プリント注文サイトは、このプリント注文権利設定画面２００の設定に従って注文を受け付ける。
【００９０】
このプリント注文権利設定画面２００において、アップ／ダウンボタン２０１によって注文できる人を選択し、アップ／ダウンボタン２０２によってプリント注文の権限を設定できる。このようにして、注文できる人、出来ない人を設定して、不要な注文や、ゲストのいたずらの注文を防ぐことができる。
【００９１】
また、プリント注文の画像選択の権限を、アップ／ダウンボタン２０３によって設定できる。画像を選べる権限を限定することで、プリントされたくない画像の不用意な注文を防ぐことができる。
【００９２】
また、プリント注文の商品種別選択の権限を、アップ／ダウンボタン２０４によって設定できる。商品の受け取り方法を選ぶ権限を設定することで、不用意に高額な商品を注文することを防ぐことができる。なお、プリント注文の商品の種類は、ペーパー以外に、Ｔシャツ、マグカップ、ハンコなど画像を使用するものであれば形状は問わない。
【００９３】
また、プリント注文の商品の受取方法選択の権限を、アップ／ダウンボタン２０５によって設定できる。商品の受け取り方法を選ぶ権限を設定することで、不用意に自宅以外の所に商品を送られるなどのいたずらを防ぐことができる。
【００９４】
また、プリント注文の商品の決済方法の選択の権限を、アップ／ダウンボタン２０６によって設定できる。商品の決済方法を選ぶ権限を設定することで、クレジットカードを悪用した不正な注文や、ゲストのいたずらの注文を防ぐことができる。更新ボタン２０７のクリックによって更新され、設定がホームサーバに記憶され、キャンセルボタン２０８のクリックによって選択された事項がキャンセルされる。
【００９５】
なお、プリント注文、画像選択、商品選択は、権限を可能にしておくが、商品の受取方法選択及び商品の決済方法の選択は、権限を選択不可にしておく方が、よそに送られたり、勝手に決済されることがないため、セキュリティ上好ましい。
【００９６】
【発明の効果】
以上、説明したように、請求項１に記載の発明では、画像機器との画像通信の権利を設定することで、画像機器との接続が整理でき、しかもプライバシーの保護ができる等統一したマネジメントが可能である。
【００９７】
請求項２に記載の発明では、権利が画像通信で転送する画像と転送しない画像の区別をすることであり、画像のコピ−、移動、配信を整理でき、しかもプライバシーの保護ができる等統一したマネジメントが可能である。
【００９８】
請求項３に記載の発明では、機器が外部ネットワークにアクセスすることを制限できるため、有害なソフトウェアのダウンロ−ドやプライバシーを侵すデータのアップロードを防ぐことができる。
【００９９】
請求項４に記載の発明では、家庭内の各部屋においてのデータの配信、演奏の条件の設定ができる。
【０１００】
請求項５に記載の発明では、権利が通信のスケジュールを設定する権限であり、通信を監視しやすくなり、通信の分散によりサーバの負荷を軽くできる。
【０１０１】
請求項６に記載の発明では、権利の設定をＷｅｂブラウザで可能であり、外部から権利の設定が可能である。また、機種に依存せず操作できる。
【０１０２】
請求項７に記載の発明では、権利がゲスト機器の設定を可能とすることで、ゲスト機器との接続を安全に行える。
【０１０３】
請求項８に記載の発明では、ゲスト機器のアクセスに時間制限を設定することで、ホームサーバを安全に運用できる。
【０１０４】
請求項９に記載の発明では、転送された画像を、転送日で分類し、まず転送日で分類するため、あとで探しやすい。
【０１０５】
請求項１０に記載の発明では、転送された画像を、個人別に分類し、個人別なので、セキュリティやプライバシーの管理がしやすい。
【０１０６】
請求項１１に記載の発明では、転送された画像を、画像機器別に分類し、機器別なので、ゲスト機器を扱うときなどにファイルが探しやすく便利である。
【０１０７】
請求項１２に記載の発明では、プリント受発注サイトとの画像通信の権利を設定することで、プリント受発注サイトとの接続が整理でき、不要な注文による課金を防ぐことができる。しかもプライバシーの保護ができる等統一したマネジメントが可能である。
【０１０８】
請求項１３に記載の発明では、プリント受発注サイトへのアップロードスケジュールを設定することで、サーバの負荷を減らすことができる。
【０１０９】
請求項１４に記載の発明では、プリント受発注サイトへのアップロードする画像の選別をすることで、画像のコピ−、移動、配信を整理でき、不要な注文による課金を防ぐことができる。しかもプライバシーの保護ができる等統一したマネジメントが可能である。
【０１１０】
請求項１５に記載の発明では、プリント受発注サイトの情報またはソフトウェアを受け付けることで、新しいキャンペーンやセールの情報が得られる。また、実施できる新機能をもつソフトのダウンロードを行なうことができる。
【０１１１】
請求項１６に記載の発明では、注文できる人、出来ない人を設定して、不要な注文や、ゲストのいたずらの注文を防ぐことができる。
【０１１２】
請求項１７に記載の発明では、画像を選べる権限を限定することで、プリントされたくない画像の不用意な注文を防ぐことができる。
【０１１３】
請求項１８に記載の発明では、商品の受け取り方法を選ぶ権限を設定することで、不用意に高額な商品を注文することを防ぐことができる。
【０１１４】
請求項１９に記載の発明では、商品の受け取り方法を選ぶ権限を設定することで、不用意に自宅以外の所に商品を送られるなどのいたずらを防ぐことができる。
【０１１５】
請求項２０に記載の発明では、商品の決済方法を選ぶ権限を設定することで、クレジットカードを悪用した不正な注文や、ゲストのいたずらの注文を防ぐことができる。
【０１１６】
請求項２１に記載の発明では、各家庭デバイスへの外部ネットワークからの情報またはソフトウェアの配布の権限を設定できることで、各家庭デバイスに必要な情報の配布や、機能のアップグレードをすることができる。
【図面の簡単な説明】
【図１】ホームサーバを利用したシステム構成を説明する図である。
【図２】画像機器の画像転送契約のコンフィグレーション画面である。
【図３】父のデジタルカメラのディレクトリ構成を示す図である。
【図４】息子のノートパソコンのディレクトリ構成を示す図である。
【図５】息子のテレビの配信を示す図である。
【図６】ゲスト機器の検索画面である。
【図７】ゲスト機器の受入れ画面である。
【図８】権利設定の画面である。
【図９】ホームサーバの画像整理の構成を示す図である。
【図１０】ホームサーバの画像整理の構成の他の実施の形態を示す図である。
【図１１】ホームサーバの画像整理の構成の他の実施の形態を示す図である。
【図１２】プリント注文権利設定画面を示す図である。
【符号の説明】
１  ホームサーバを利用したシステム
２  ホームサーバ
３ａ  プリント受発注サイト
３ｂ  ネットワークストレージ
４  プリント外注サイト
【図１】
2004320155.tif 000003
【図２】
2004320155.tif 000004
【図３】
2004320155.tif 000005
【図４】
2004320155.tif 000006
【図５】
2004320155.tif 000007
【図６】
2004320155.tif 000008
【図７】
2004320155.tif 000009
【図８】
2004320155.tif 000010
【図９】
2004320155.tif 000011
【図１０】
2004320155.tif 000012
【図１１】
2004320155.tif 000013
【図１２】
2004320155.tif 000014